(57)【要約】【課題】図柄シールにおけるユニークな利用方法の提供。【解決手段】台紙（ａ）に貼着したテープ状の図柄シール（１）に多数個の図柄（２）を均等に連続配置しているものにおいて、適宜長さの図柄シール（１）の両端部を背表紙部（３）として無端帯状に接続させ、多数個の連続した図柄（２）を折曲線（４）により各別に仕切り見開き可能に折り曲げてシールによる超小型本を構成させると共に、該図柄シール（１）を複数片纏めて一枚のシート（５）状に形成し、必要に応じ分離して使用可能としたシールによる超小型本の構成とする。【選択図】図１
0003117635.tif 000002
【実用新案登録請求の範囲】
【請求項１】
台紙（ａ）に貼着したテープ状の図柄シール（１）に多数個の図柄（２）を均等に連続配置しているものにおいて、適宜長さの図柄シール（１）の両端部を背表紙部（３）として無端帯状に接続させると共に、多数個の連続した図柄（２）を各別に仕切り見開き可能に折り曲げて本を形成させる折曲線（４）を設けたことを特徴とするシールによる超小型本。
【請求項２】
前記適宜長さの図柄シール（１）を複数片纏めて一枚のシート（５）状に形成すると共に、必要に応じ分離して使用可能としたことを特徴とする請求項１記載のシールによる超小型本。
【考案の詳細な説明】
【技術分野】
【０００１】  この考案は、シールによる超小型本に開し、テープ状の図柄シールを使用し多数個の図柄を仕切って折り曲げることにより超小型本を作成するもの等の分野に属する。
【背景技術】
【０００２】  従来では、色々な図柄を連続に並べたテープ状のシールを適宜の台紙に貼付して図柄シールとしたもの等が出願されている。（例えば、特許文献１参照）
【特許文献１】実用新案登録第３０９４４６８号
【考案の開示】
【考案が解決しようとする課題】
【０００３】  しかし、このような図柄シールにおいては、点止めした図柄を台紙より剥離して各種の被対象物に単独又は連続に貼り付けできるものであるが、この図柄の貼り付け以外での利用方法は余り考えられなかった。【０００４】  このため、本考案では、このような図柄シールにおけるユニークな利用方法を提供しようとするものである。
【課題を解決するための手段】
【０００５】  請求項１の考案は、台紙（ａ）に貼着したテープ状の図柄シール（１）に多数個の図柄（２）を均等に連続配置しているものにおいて、適宜長さの図柄シール（１）の両端部を背表紙部（３）として無端帯状に接続させると共に、多数個の連続した図柄（２）を各別に仕切り見開き可能に折り曲げて本を形成させる折曲線（４）を設けたことを特徴とするシールによる超小型本の構成とする。【０００６】  このような構成により、適宜長さの図柄シール（１）の両端部における本の背表紙部（３）を接続させると共に、この接続により無端帯状となった多数個の連続した図柄（２）を各別に仕切った折曲線（４）に沿って山折り谷折りを行うことにより、背表紙部（３）を軸として見開き可能に図柄シール（１）を使用した超小型本を作成することができる。なお、該図柄シール（１）は、図柄（２）を点止めせず剥離不能としても差し支えないものである。【０００７】  請求項２の考案は、前記適宜長さの図柄シール（１）を複数片纏めて一枚のシート（５）状に形成すると共に、必要に応じ分離して使用可能としたことを特徴とする請求項１記載のシールによる超小型本の構成とする。【０００８】  このような構成により、適宜長さの図柄シール（１）の複数片を一枚のシート（５）状としてコンパクトに纏めて連接形成していることにより、必要の都度一片毎に図柄シール（１）をシート（５）から順次切り離し、この切り離した図柄シール（１）を使用して超小型本を作成することができる。
【考案の効果】
【０００９】  請求項１の考案では、上記作用の如く、適宜長さの図柄シール（１）を無端帯状とした多数個の連続した図柄（２）を、各別に仕切った折曲線（４）に沿って折曲させることにより、背表紙部（３）を軸として見開き可能とする超小型本を図柄シール（１）を使用して簡単容易に作成することができるから、この超小型本を作成する楽しみや、各種の異なった図柄（２）の超小型本を集める楽しみ等の他、ユニークな超小型本として付録やおまけ等各種の用途に利用することができる。【００１０】  請求項２の考案では、上記作用の如く、一枚のシート（５）状としてコンパクトに纏めて連接している複数片の適宜長さの図柄シール（１）を、必要の都度シート（５）から一片毎に簡単容易に順次切り離し、この切り離した図柄シール（１）を使用して超小型本を作成することができるから、複数片の図柄シール（１）のばらけた状態を簡便に収納することが可能となり、取扱い上の煩わしさを解消することができる。
【考案を実施するための最良の形態】
【００１１】  適宜長さの図柄シール１の両端部を背表紙部３として無端帯状に接続させると共に、多数個の連続した図柄２を各別に仕切り見開き可能に折曲線４から折り曲げてシールによる超小型本を作成する。また、該図柄シール１を複数片纏めて一枚のシート５状に形成すると共に、必要に応じ図柄シール１を一片毎に分離可能とする。【００１２】  以下に、この考案の実施例を図面に基づいて説明する。
図１に示す如く、台紙ａに貼着したテープ状の適宜長さの図柄シール１として、例えば、各種の模様を描いた多数個の連続した図柄２を折曲線４により１２頁に仕切り、その一方端部に背表紙部３と、この背表紙部３に隣接して細幅の接続部６を設けると共に、図２に示す如く、該接続部６の台紙ａを剥離し他方端部に接着して図柄シール１を無端帯状に形成させ、該折曲線４に従って多数個の連続した図柄２を山折り谷折りを行うことにより、該背表紙部３を軸として見開き可能な図柄シール１使用の超小型本Ｂを作成することができる。【００１３】  図３は、該図柄シール１を使用して完成させた超小型本Ｂを人の指で把持している状態を示しているものである。図４は、各種の異なった図柄２の超小型本Ｂを集め蔵書として超小型の本箱７に収納している状態を示しているものである。図５は、付録やおまけ及びゲーム機等各種の用途に利用できるよう複数冊の超小型本Ｂを小型のカプセル８等に封入している状態を示しているものである。【００１４】  また、図６に示す如く、台紙ａに貼着したテープ状の適宜長さの図柄シール１の副数片を幅方向に分離可能に接続してシート５としてコンパクトに形成して纏め、必要の都度一片の図柄シール１をシート５から簡単容易に順次切り離すことにより、この切り離した図柄シール１を使用して超小型本Ｂを作成することができる。
【図面の簡単な説明】
【００１５】
【図１】超小型本を作成する図柄シールを折曲線により仕切った状態を示す平面図。
【図２】図柄シールを無端帯状に接続して超小型本を作成した状態を示す斜視図。
【図３】図柄シールを使用した超小型本を人の指で把持している状態を示す斜視図。
【図４】各種の異なった図柄の超小型本を本箱に収納している状態を示す斜視図。
【図５】複数冊の超小型本を小型のカプセル等に封入している状態を示す斜視図。
【図６】図柄シール副数片を幅方向に接続して纏めたシートの状態をを示す平面図。
【符号の説明】
【００１６】１．  図柄シール
２．  図柄
３．  背表紙部
４．  折曲線
５．  シート
【図１】
0003117635.tif 000003
【図２】
0003117635.tif 000004
【図３】
0003117635.tif 000005
【図４】
0003117635.tif 000006
【図５】
0003117635.tif 000007
【図６】
0003117635.tif 000008